(57)【特許請求の範囲】
【請求項１】
逆Ｕ字形本体の下部両端に各々回転用ピンと弾性体とを設け、該回転用ピンを支点として被吊り下げ物脱着用フックを可動自在に取着し、該両被吊り下げ物脱着用フックは回転用ピンより先端の鋭角状突出爪部に至るまでを円弧面とした外形とし、回転用ピンの他方側となる本体下端に位置する側は弾発力により引き上げる方向に作用させるように該弾性体を取り付け、該突出爪部を互いに対向接触させ、当該接触部分による挟持力、被吊り下げ物の重量及び該弾性体の弾発力とにより被吊り下げ物の落下を防止することを特徴とする被吊り下げ物落下防止用ワンハンドクリップ。
【請求項２】
被吊り下げ物脱着用フックの形状を突出爪部が対向接触する方向に沿って延設したことを特徴とする請求項１に記載の被吊り下げ物落下防止用ワンハンドクリップ。
【発明の詳細な説明】
【技術分野】
【０００１】
本発明は、洗濯物等の吊り下げ物を本体に片手で差込み固定させることができ、且つ取り外すことも容易にできる被吊り下げ物落下防止用ワンハンドクリップに関するものである。
【背景技術】
【０００２】
従来洗濯物等を干す場合、一般的には専用の洗濯バサミ、又は、それに類する器具を使用して吊るしているが、両手を使わず片手だけで操作できる洗濯バサミはなかった。
【発明の開示】
【発明が解決しようとする課題】
【０００３】
本発明は、洗濯物等の被吊り下げ物の装脱着を片手で簡単容易にできるようにしたものである。
【課題を解決するための手段】
【０００４】
逆Ｕ字形本体の下部両端に各々回転用ピンと弾性体とを設け、該回転用ピンを支点として被吊り下げ物脱着用フックを可動自在に取着し、該両被吊り下げ物脱着用フックは回転用ピンより先端の鋭角状突出爪部に至るまでを円弧面とした外形とし、回転用ピンの他方側となる本体下端に位置する側は弾発力により引き上げる方向に作用させるように該弾性体を取り付け、該突出爪部を互いに対向接触させ、当該接触部分による挟持力、被吊り下げ物の重量及び該弾性体の弾発力とにより被吊り下げ物の落下を防止する被吊り下げ物落下防止用ワンハンドクリップを特徴とする。
【０００５】
また、被吊り下げ物脱着用フックの形状を突出爪部が対向接触する方向に沿って延設した被吊り下げ物落下防止用ワンハンドクリップを特徴とする。
【発明の効果】
【０００６】
本発明は、特に福祉に寄与することを目的として開発したものである。従来洗濯物等の被吊り下げ物を吊るすにはバネと簡易フック等よりなる把持体を両手の指で操作することが一般的であったが、本発明はその概念を大きく変えたものである。従来の洗濯バサミ等と大きく違う点は、被吊り下げ物を装脱着する時に指の力を全く必要としない所にある。使い方は簡単で被吊り下げ物を片手の指先に被せて本体の中心部となる両フック間に上方に向けて差し込むだけで被吊り下げ物を安定装着できることを可能としたものである。
【発明を実施するための最良の形態】
【０００７】
被吊り下げ物を本体（１）の両下部の被吊り下げ物脱着用フック（２）の中心へ上方に向かって差し込み、手及び指を被吊り下げ物から離したとき、該被吊り下げ物脱着用フック（２）の端部に取り付けた補助バネ（４）の弾発作用で被吊り下げ物を挟む被吊り下げ物脱着用フック（２）先端の突出爪部相互が挟む方向に力が作用することになる。
このとき、被吊り下げ物の重量が該被吊り下げ物脱着用フック（２）の先端突出爪部にかかり、下方への力が作用することになる。このため、被吊り下げ物の重量に比例して挟む力が加算され被吊り下げ物が安定装着されることになる。
【０００８】
また、被吊り下げ物を本体（１）から取り外すときは、被吊り下げ物を手又は指先で被吊り下げ物脱着用フック（２）の上方へ向けて持ち上げるだけで挟んでいる力が解除され簡単に取り外すことができる。上記被吊り下げ物脱着用フックの形状については様々なものが考えられ、半円形状フックや例えば楕円形又は流線型のようなものもあり、特定のものに限定されるものではない。また、補助バネ（４）として拡張バネを使用しているが、ゴムやその他の弾性体であってもよい。
【実施例１】
【０００９】
以下、添付図面に従って実施例を説明する。本体（１）は耐水性の樹脂等で形成され、物干し竿等に固定装着するため本体（１）の最上部に回転するＣ字形の固定用フック（５）を構成している。
【００１０】
本体（１）は、ほぼ逆Ｕ字形に形成され、その下部となる左右両下端部に被吊り下げ物脱着用フック（２）を回動自在に軸着し、該被吊り下げ物脱着用フック（２）は、各々先端が上方へ傾斜突出した爪型形状となる回転用ピンより先端の鋭角状突出爪部に至るまでを円弧面とした外形の半円形状フック（以下、フックという）とし、該先端相互が合わさる位置（接触位置）で係止するように回動自在に形成する。該各々のフック（２）は、左右両下端部に回転用ピン（３）により上方側へ回動自在とされ、左側のフック（２）にあっては該接触位置から反時計回り方向に回動し、右側のフック（２）にあっては該接触位置から時計回り方向に回動するように構成している。
【００１１】
上記フック（２）の回動は、逆Ｕ字形に本体（１）の下方部に形成された補助バネ（４）により、左側のフック（２）は回転用ピン（３）を中心として時計回り方向へ付勢し、右側のフック（２）は、回転用ピン（３）を中心として反時計回り方向に付勢している。
【００１２】
上記構成よりなる左右のフック（２）の先端相互の接触位置へ、下方から被吊り下げ物を指先で摘むか或いは指先に乗せて下方から指又は腕を上げて挟み込むと、上記補助バネ（４）の付勢力に対向して左側のフック（２）は反時計回り方向に回動し、右側のフック（２）は時計回り方向に回動することになる。
【００１３】
被吊り下げ物が挟み込まれ、上方への押し込み力が解除されると、該吊り下げ物は自身の重力により下方へ移動しようとする力が作用することになる。ところが、左右のフック（２）は、その相互の接触位置より下方へは回動することはないので、仮に該被吊り下げ物が薄いものであっても、当該被吊り下げ物の重量及び補助バネ（４）の付勢力とによって該接触位置間に強く挟み込まれることになる。
【００１４】
他方、被吊り下げ物を本体（１）から取り外すときは、手或いは指先で該被吊り下げ物を本体（１）の上方に向けて軽く持ち上げるだけで先端相互の接触状態が解放され、容易に取り外すことができる。
【実施例２】
【００１５】
添付図面３の実施例について説明する。本体（１）は耐水性樹脂等で形成され、物干し竿等に固定装着するため本体（１）の最上部に回転するＣ字形の固定用フック（５）を構成している。
逆Ｕ字形本体（１）は、その下部左右両下端部に被吊り下げ物脱着用フック（２）を回動自在に取着しているが、該フック（２）は、その突出爪部が対向接触する方向に沿って延設形成している。
使用方法は上記実施例１に記述のように、本体（１）の下部である両長手フック（２）の接触位置に下方から布・反物など幅のある被吊り下げ物を差し込んで装着する。
【産業上の利用可能性】
【００１６】
本発明は特に福祉用に開発したもので、片手で物が吊るせるという所に大きな特徴がある。バネ力等に対抗して広げる力等が一切不要で、簡単容易に操作できる。この点で今まで洗濯バサミが使用できなかった人達に多いに貢献できることが可能となった。
また、本発明の請求項２では布、又は反物など幅のある被吊り下げ物を干したり吊るすことができ、広く汎用されることが可能となった。
【図面の簡単な説明】
【００１７】
【図１】本発明の斜視図である。
【図２】本発明の一部切欠断面図である。
【図３】本発明の他の実施例の斜視図である。
【符号の説明】
【００１８】
１．本体
２．被吊り下げ物脱着用フック
３．回転用ピン
４．補助バネ
５．固定用フック
【図１】
0004056003.tif 000002
【図２】
0004056003.tif 000003
【図３】
0004056003.tif 000004